【手続補正書】
【提出日】平成30年1月22日(2018.1.22)
【手続補正１】
【補正対象書類名】特許請求の範囲
【補正対象項目名】全文
【補正方法】変更
【補正の内容】
【特許請求の範囲】
【請求項１】
発振器回路であって、
増幅器回路であって、
バイアスノードに結合される第１の入力と第１のノードに結合される第２の入力と第１の増幅器出力信号を提供する第１の増幅器出力とを含む第１の増幅器と、
前記第１のノードと前記第１の増幅器出力との間に結合される抵抗と、
を含む、前記増幅器回路と、
積分器回路であって、
前記バイアスノードに結合される第１の入力と第２のノードに結合される第２の入力と第２の増幅器出力信号を提供する第２の増幅器出力とを含む第２の増幅器と、
前記第２のノードと前記第２の増幅器出力との間に結合される静電容量と、
を含む、前記積分器回路と、
コンパレータであって、前記第１の増幅器出力信号を受け取るように前記第１の増幅器出力に結合される第１のコンパレータ入力と、前記第２の増幅器出力信号を受け取るように前記第２の増幅器出力に結合される第２のコンパレータ入力と、第１のレベルと第２のレベルとの間で交番する発振器出力信号を提供するコンパレータ出力とを含む、前記コンパレータと、
前記第１のノードに第１の電流値の第１の電流信号を提供する第１の電流源と、
前記第２のノードに前記第１の電流値の第２の電流信号を提供する第２の電流源と、
前記第１の電流値の２倍の第３の電流信号を第３のノードから定電圧ノードに提供する第３の電流源と、
前記第１の電流値の２倍の第４の電流信号を第４のノードから前記定電圧ノードに提供する第４の電流源と、
前記発振器出力信号に従って、前記発振器出力信号が前記第１のレベルにあるときに前記第１のノードから前記第３のノードを切り離して前記第２のノードから前記第４のノードを切り離すように、前記発振器出力信号が前記第２のレベルにあるときに前記第３のノードを前記第１のノードと結合して前記第４のノードを前記第２のノードと結合するように、作用し得るスイッチング回路と、
を含む、発振器回路。
【請求項２】
請求項１に記載の発振器回路であって、
前記第１及び第２の増幅器が相互コンダクタンス増幅器である、発振器回路。
【請求項３】
請求項２に記載の発振器回路であって、
前記コンパレータが相互コンダクタンス増幅器である、発振器回路。
【請求項４】
請求項２に記載の発振器回路であって、
前記第１及び第２の電流源が互いに整合され、前記第３及び第４の電流源が互いに整合される、発振器回路。
【請求項５】
請求項２に記載の発振器回路であって、
第５の電流信号を提供する第５の電流源と、
前記第５の電流信号に基づいて前記第１、第２、第３及び第４の電流信号を提供する前記第１、第２、第３及び第４の電流源を含む電流ミラー回路と、
を更に含む、発振器回路。
【請求項６】
請求項２に記載の発振器回路であって、
前記バイアスノードに一定の非ゼロ電圧信号を提供するバイアス電圧源を更に含む、発振器回路。
【請求項７】
請求項１に記載の発振器回路であって、
前記第１及び第２の増幅器のオフセット電圧と前記コンパレータのオフセット電圧とが、外部オフセットキャンセルなしに前記発振器のスイッチング動作の間に自然にキャンセルされる、発振器回路。
【請求項８】
請求項７に記載の発振器回路であって、
前記オフセットのキャンセルが、外部オフセットキャンセルクロック又は回路なしに前記発振器回路の自己スイッチング動作を用いる、発振器回路。
【請求項９】
請求項１に記載の発振器回路であって、
前記第１及び第２の電流源が互いに整合され、前記第３及び第４の電流源が互いに整合される、発振器回路。
【請求項１０】
請求項９に記載の発振器回路であって、
第５の電流信号を提供する第５の電流源と、
前記第５の電流信号に基づいて前記第１、第２、第３及び第４の電流信号を提供する前記第１、第２、第３及び第４の電流源を含む電流ミラー回路と、
を更に含む、発振器回路。
【請求項１１】
請求項９に記載の発振器回路であって、
前記バイアスノードに一定の非ゼロ電圧信号を提供するバイアス電圧源を更に含む、発振器回路。
【請求項１２】
請求項１に記載の発振器回路であって、
第５の電流信号を提供する第５の電流源と、
前記第５の電流信号に基づいて前記第１、第２、第３及び第４の電流信号を提供する前記第１、第２、第３及び第４の電流源を含む電流ミラー回路と、
を更に含む、発振器回路。
【請求項１３】
請求項１に記載の発振器回路であって、
前記バイアスノードに一定の非ゼロ電圧信号を提供するバイアス電圧源を更に含む、発振器回路。
【請求項１４】
弛緩発振器であって、
電流ミラー回路であって、第１のノードに第１の電流値の第１の電流を提供し、第２のノードに前記第１の電流値の第２の電流を提供し、前記第１の電流値の２倍の第３の電流を第３のノードから定電圧ノードに提供し、前記第１の電流値の２倍の第４の電流を第４のノードから前記定電圧ノードに提供する、前記電流ミラー回路と、
スイッチング回路であって、第１の状態において、それぞれ、前記第１及び第２のノードに前記第１の電流値の正の第１及び第２の電流信号を個別に提供するために前記第３のノードを前記第１のノードから切り離して前記第４のノードを前記第２のノードから切り離すように作用し得、第２の状態において、それぞれ、前記第１及び第２のノードに前記第１の電流値の負の第１及び第２の電流信号を個別に提供するために前記第３のノードを前記第１のノードに結合して前記第４のノードを前記第２のノードに結合するように作用し得る、前記スイッチング回路と、
交番する第１及び第２のレベルを有するパルス波形として第１の出力信号を提供するように、前記第１のノードから前記第１の電流信号を受け取り増幅する第１の増幅器回路と、
交番する負及び正の傾きを有するランプ波形として第２の出力信号を提供するように、前記第２のノードから前記第２の電流信号を受け取り積分する第２の増幅器回路と、
前記発振器出力信号が第１のレベルにあるときに前記スイッチング回路を前記第１の状態にし、前記発振器出力信号が異なる第２のレベルにあるときに前記スイッチング回路を前記第２の状態にすることを交互に行うように発振コンパレータ出力信号を提供するために、前記第１及び第２の出力信号を比較するコンパレータと、
を含む、弛緩発振器。
【請求項１５】
請求項１４に記載の弛緩発振器であって、
前記第１の増幅器回路が、
非ゼロバイアス電圧に結合される第１の入力と前記第１のノードに結合される第２の入力と前記第１の出力信号を提供する第１の増幅器出力とを含む第１の相互コンダクタンス増幅器と、
前記第１のノードと前記第１の増幅器出力との間に結合される抵抗と、
を含み、
前記第２の増幅器回路が、
前記バイアス電圧に結合される第１の入力と前記第２のノードに結合される第２の入力と前記第２の出力信号を提供する第２の増幅器出力とを含む第２の相互コンダクタンス増幅器と、
前記第２のノードと前記第２の増幅器出力との間に結合される静電容量と、
を含む、弛緩発振器。
【請求項１６】
請求項１４に記載の弛緩発振器であって、
前記電流ミラー回路に入力電流信号を提供する電流源を更に含み、
前記電流ミラー回路が、前記入力電流信号に基づいて前記第１、第２、第３及び第４の電流を提供する、弛緩発振器。
【請求項１７】
請求項１４に記載の弛緩発振器であって、
前記コンパレータが第３の相互コンダクタンス増幅器を含み、
第３の相互コンダクタンス増幅器が、前記第１の増幅器出力信号を受け取る第１のコンパレータ入力と、前記第２の増幅器出力信号を受け取る第２のコンパレータ入力と、前記コンパレータ出力信号を提供するコンパレータ出力とを含む、弛緩発振器。
【請求項１８】
発振器であって、
バイアスノードに結合される第１の入力と第１のノードに結合される第２の入力と第１の出力信号を提供する第１の増幅器出力とを含む第１の増幅器と、
前記第１のノードと前記第１の増幅器出力との間に結合される抵抗と、
前記バイアスノードに結合される第１の入力と第２のノードに結合される第２の入力と第２の出力信号を提供する第２の増幅器出力とを含む第２の増幅器と、
前記第２のノードと前記第２の増幅器出力との間に結合される静電容量と、
スイッチング可能な電流源回路であって、第１の状態において、前記第１のノードに第１の電流値の正の第１の電流信号を供給して前記第２のノードに前記第１の電流値の正の第２の電流信号を供給するように作用し得、第２の状態において、前記第１のノードから前記第１の電流値の負の第１の電流信号を取り出して前記第２のノードから前記第１の電流値の負の第２の電流信号を取り出すように作用し得る、前記スイッチング可能な電流源回路と、
出力回路であって、前記第２の出力信号が前記第１の出力信号を超えるときに前記スイッチング可能な電流源回路を前記第１の状態にするように第１のレベルで発振器出力信号を提供し、前記第１の出力信号が前記第２の出力信号を超えるときに前記スイッチング可能な電流源回路を前記第２の状態にするように第２のレベルで前記発振器出力信号を提供する、前記出力回路と、
を含む、発振器。
【請求項１９】
請求項１８に記載の発振器であって、
前記バイアスノードに一定の非ゼロ電圧信号を提供するバイアス電圧源を更に含む、発振器。
【請求項２０】
請求項１８に記載の発振器であって、
前記第１及び第２の増幅器が相互コンダクタンス増幅器である、発振器。